(57)【要約】【課題】住宅情報盤１０のＡＶユニット２００を交換する際の作業を簡単にする。【解決手段】インターホンの屋外機および防災設備１３と少なくとも接続される住宅情報盤１０において、ＡＶユニット２００は、本体ユニット１００と物理的に分離可能である。ＡＶユニット２００は、本体ユニット１００に接続された後、本体ユニット１００から、本体ユニット１００と外部機器との接続状況を含むステータス情報をユニット間通信により取得する。【選択図】図１
2016143893.tif 000002
【特許請求の範囲】
【請求項１】
インターホンの屋外機および防災設備と少なくとも接続される住宅情報盤であって、
本体ユニットと、
前記本体ユニットと物理的に分離可能なＡＶユニットと、を備え、
前記ＡＶユニットは、前記本体ユニットに接続された後、前記本体ユニットから、前記本体ユニットと外部機器との接続状況を含むステータス情報をユニット間通信により取得することを特徴とする住宅情報盤。
【請求項２】
前記ステータス情報には、建物に設置された太陽光発電システム、燃料電池システム及び電気自動車充電システムの少なくとも一つと前記本体ユニットとの接続の有無が含まれることを特徴とする請求項１に記載の住宅情報盤。
【請求項３】
前記ＡＶユニットは、
ユニット間通信部と、
アプリケーションプラグラムを実行する処理部と、
表示部と、を有し、
前記処理部は、前記本体ユニットから取得されたステータス情報をもとに、前記表示部に表示させるメニュー画面を決定することを特徴とする請求項１または２に記載の住宅情報盤。
【請求項４】
前記本体ユニットは、
ユニット間通信部と、
ユーザにより前記ＡＶユニットに設定されたユーザ設定情報を保持するためのユーザ設定情報保持部と、
前記ユーザ設定情報を前記ＡＶユニットから取得して前記ユーザ設定情報保持部に格納するとともに、当該ＡＶユニットが前記本体ユニットと接続解除され別のＡＶユニットが前記本体ユニットと接続された後、前記ユーザ設定情報保持部に保持されるユーザ設定情報を当該別のＡＶユニットに提供する処理部と、
を有することを特徴とする請求項１から３のいずれかに記載の住宅情報盤。
【請求項５】
インターホンの屋外機および防災設備と少なくとも接続される住宅情報盤の本体ユニットであって、
物理的に分離可能なＡＶユニットが当該本体ユニットに接続された後、当該本体ユニットと外部機器との接続状況を含むステータス情報をユニット間通信により前記ＡＶユニットに提供することを特徴とする住宅情報盤の本体ユニット。
【請求項６】
インターホンの屋外機および防災設備と少なくとも接続される住宅情報盤のＡＶユニットであって、
前記ＡＶユニットは、本体ユニットと物理的に分離可能であり、前記本体ユニットに接続された後、前記本体ユニットから、前記本体ユニットと外部機器との接続状況を含むステータス情報をユニット間通信により取得することを特徴とする住宅情報盤のＡＶユニット。
【発明の詳細な説明】
【技術分野】
【０００１】
本発明は、マンション内の住戸などに設置される住宅情報盤、住宅情報盤の本体ユニット、及び住宅情報盤のＡＶユニットに関する。
【背景技術】
【０００２】
マンション内の住戸などに設置される住宅情報盤は、インターホン機能、防災機能など多様な機能を備えている。住宅情報盤の防災機能は消防検定の対象であり、ハードウェア又はソフトウェアなどの変更が禁止されている。変更する場合は検定を取り直す必要がある。一方で住宅情報盤には、多くのＡＶ機能（電力使用量の表示機能、ＥＶ充電システムの充電状況の表示機能など）の追加が望まれている。そこで住宅情報盤を本体ユニットとＡＶユニットに分けるアイデアが提案されている（例えば、特許文献１参照）。
【先行技術文献】
【特許文献】
【０００３】
【特許文献１】特開２００１−１１０９９７号公報
【発明の概要】
【発明が解決しようとする課題】
【０００４】
本体ユニットとＡＶユニットを分けた場合、両者の間に多様な組み合わせが発生する。一般に本体ユニットの商品サイクルは長く（通常、１５年程度）、ＡＶユニットは年々進化していく。従って本体ユニットはそのままで、ＡＶユニットを交換するということが多く発生することになる。
【０００５】
本発明はこうした状況に鑑みなされたものであり、その目的は、住宅情報盤のＡＶユニットを交換する際の作業を簡単にする技術を提供することにある。
【課題を解決するための手段】
【０００６】
上記課題を解決するために、本発明のある態様の住宅情報盤は、インターホンの屋外機および防災設備と少なくとも接続される住宅情報盤であって、本体ユニットと、前記本体ユニットと物理的に分離可能なＡＶユニットと、を備える。前記ＡＶユニットは、前記本体ユニットに接続された後、前記本体ユニットから、前記本体ユニットと外部機器との接続状況を含むステータス情報をユニット間通信により取得する。
【０００７】
なお、以上の構成要素の任意の組み合わせ、本発明の表現を方法、装置、システムなどの間で変換したものもまた、本発明の態様として有効である。
【発明の効果】
【０００８】
本発明によれば、住宅情報盤のＡＶユニットを交換する際の作業を簡単にできる。
【図面の簡単な説明】
【０００９】
【図１】インターホンシステムの構成を示す図である。
【図２】本発明の実施の形態に係る住宅情報盤の基本コンセプトを示す図である。
【図３】図２の本体ユニット及びＡＶユニットの構成を示す機能ブロック図である。
【図４】本体ユニットに保持されるステータス情報の一例を示す図である。
【図５】図５（ａ）−（ｂ）は、ＡＶユニットの表示部に表示されるメニュー画面の一例を示す図である。
【図６】本体ユニットに保持されるユーザ設定情報の一例を示す図である。
【図７】本発明の実施の形態に係るＡＶユニット交換時の処理の流れを示すフローチャートである。
【発明を実施するための形態】
【００１０】
図１は、インターホンシステム１の構成を示す図である。図１に示すインターホンシステム１はマンション用のインターホンシステムである。当該インターホンシステム１は、住宅情報盤１０、インターホン室内副機１１、ドアインターホン１２、制御装置２０、ロビーインターホン２１、管理室インターホン２２を備える。住宅情報盤１０及びインターホン室内副機１１は住戸内に設置される。ドアインターホン１２は住戸玄関（室外）に設置される。制御装置２０は共用部（例えば管理室）に設置される。ロビーインターホン２１はロビーに設置される。住宅情報盤１０と制御装置２０は幹線により接続される。図１では制御装置２０と住宅情報盤１０を直接接続しているが、制御装置２０からの幹線がドアインターホン１２に合流した後、住宅情報盤１０に接続される配線形態でもよい。
【００１１】
住宅情報盤１０に防災設備１３が接続される。防災設備１３はマンション内の共用部および住戸部（専用部）に設置される各種機器の総称である。例えば防災設備１３として、火災感知器、ガス漏れ検知器、スプリンクラ、窓からの侵入を検知するためのマグネットスイッチ、コール用ボタン等があり、住宅情報盤１０にそれぞれ接続される。
【００１２】
住宅情報盤１０に計測ユニット１４が接続される。計測ユニット１４は、住宅分電盤、ガスメータ及び水道メータに接続され、電力使用量、ガス使用量、及び水道使用量を計測し、住宅情報盤１０に出力する。
【００１３】
非常用電源装置１５はリチウムイオン蓄電池などの蓄電池を備える。蓄電池に蓄えられた電力は、停電時のバックアップ電源として使用される。また電気料金が安価な深夜に系統電源から充電し、昼間に放電するピークシフト運転に使用してもよい。また太陽光発電システム２４が設置される場合、太陽光発電システム２４からも充電される。非常用電源装置１５は住宅情報盤１０にも電源供給可能なように配線される。
【００１４】
制御装置２０にインターネットサーバ２３が接続される。インターネットサーバ２３はインターネットに接続するためのゲートウェイサーバであり、住宅情報盤１０は制御装置２０及びインターネットサーバ２３を介してインターネットに接続できる。
【００１５】
制御装置２０に太陽光発電システム２４のパワーコンディショナが接続され、当該パワーコンディショナは、発電量などの各種情報を制御装置２０に通知する。
【００１６】
制御装置２０に燃料電池システム２５のコントローラが接続される。燃料電池システム２５は燃料電池ユニットと貯湯ユニットを備え、コントローラは燃料電池の発電量、貯湯ユニット内の湯量、湯温などの各種情報を制御装置２０に通知する。
【００１７】
制御装置２０に電気自動車充電システム２６の充電スタンド（又は充電ボックス）が接続される。電気自動車充電システム２６はＥＶまたはＰＨＶに充電するための充電スタンド（又は充電ボックス）を備え、当該充電スタンド内のコントローラは充電量、充電時間、充電終了通知などの各種情報を制御装置２０に通知する。
【００１８】
図１に示した構成要素の内、火災感知器などの消防法で定められた設備以外は任意の構成要素でありマンションにより異なる。また設備（例えば電気自動車充電システム２６）は事後的に追加される場合もあれば、除去される場合もある。
【００１９】
住宅情報盤１０は高機能化しており様々な機能が実装されるようになってきている。大画面で高画質なディスプレイ及びタッチパネル式のＧＵＩを備え、録画・録音・再生機能、インターネット機能に対応した機種も販売されている。このように、一般的なデジタルＡＶ機器に求められる性能および機能が住宅情報盤１０にも求められてきている。
【００２０】
一方で住宅情報盤１０には、住宅設備として防災機能の実現が要求されており、消防法上はＧＰ３級受信機として位置づけられる。ＧＰ３級受信では、火災が発生した際に警報内容を鳴動および／または表示する機能、及び停電が発生しても非常電源で動作し続ける機能の搭載が義務付けられている。
【００２１】
住宅情報盤１０に要求される防災に関連する機能（以下、防災機能という）は、旧来から変わらない機能が多く、新しく追加されたり変更されることが少ない。一方で、住宅情報盤１０に要求されるＡＶ機器としての機能（以下、ＡＶ付加機能という）は、スマートフォンやタブレットのように進化が激しく、新機能の追加が絶えず要求されている。昨今の住宅情報盤の開発もＡＶ付加機能の開発が中心になっている。
【００２２】
消防法に関係する防災機能は、生命安全を守る機能であり、万が一にも不具合が発生してはならない。公的機関である消防検定協会による、防災機能に関する検定が法律で義務付けられている。防災機能に悪影響を及ぼすことを避けるため消防検定に合格した後は、検定協会の許可なしにハードウェア及びソフトウェアを変更することが禁止される。
【００２３】
住宅情報盤１０は住宅設備として位置づけられ、商品寿命も約１５年と長い。従って居住者であるユーザは約１５年間、同じ住宅情報盤１０を使用し続けることになる。これに対してＡＶ付加機能は技術進歩が早く陳腐化も早い。設置当初は最新の機能であっても、すぐに陳腐化してしまう。消防検定の取得には約半年の検定期間を経なければならず、最新機能を持つ住宅情報盤１０を、タイムリーに市場に供給することは困難である。
【００２４】
そこで、消防検定の要求を満たしながら、新しいＡＶ付加機能を住宅情報盤１０に追加する方法が求められる。以下、本発明の実施の形態ではこの課題を解決する方法を提示する。
【００２５】
図２は、本発明の実施の形態に係る住宅情報盤１０の基本コンセプトを示す図である。従来の住宅情報盤１０を、本体ユニット１００とＡＶユニット２００に機器分割する。本体ユニット１００とＡＶユニット２００は物理的に分離可能に構成される。本体ユニット１００とＡＶユニット２００は端子結合されてもよいし、ケーブルで接続されてもよいし、無線で接続されてもよい。端子形状を汎用規格の端子（例えばＵＳＢ端子）と異なる端子形状として、汎用品のタブレット等が本体ユニット１００に接続できないように設計してもよい。
【００２６】
本体ユニット１００は防災設備１３と接続され、単独で消防法で要求される防災機能を満たす。本体ユニット１００は、ＡＶユニット２００と連携することなく単独で動作可能である。本体ユニット１００は非常用電源装置１５と接続される。停電時において本体ユニット１００は、非常用電源装置１５から電源供給を受けることにより、定められた一定時間、動作を継続できる。
【００２７】
本体ユニット１００は、火災などの非常事態の発生を視覚情報として居住者に報知する表示機能（例えばＬＥＤランプ）を備える。また本体ユニット１００は、火災などの非常事態の発生を音声情報として居住者に報知する鳴動機能（例えばブザー）を備える。また本体ユニット１００は、火災などの非常事態の発生をドアインターホン１２などの戸外装置に通知する機能を備える。
【００２８】
本体ユニット１００とＡＶユニット２００間は有線または無線によるユニット間通信により接続される。本体ユニット１００は、インターホンシステム１内の機器（ＡＶユニット２００を除く）と任意の通信方式で通信する。本体ユニット１００は通信先から得た情報を、ユニット間通信可能な状態にプロトコル変換してＡＶユニット２００に転送するとともに、ＡＶユニット２００から得た情報をプロトコル変換して指定された通信先に転送する。
【００２９】
ＡＶユニット２００は、本体ユニット１００と所定の通信方式で通信し、多様化するＡＶ付加機能を実現する。ＡＶユニット２００はディスプレイ及びスピーカを備え、ユニット間通信手段または単独で使用できる通信手段（例えば無線ＬＡＮ）を経由して受信した映像をディスプレイに表示し、受信した音声をスピーカから出力する。ＡＶユニット２００は、本体ユニット１００と連携して動作するだけでなく、本体ユニット１００と連携することなく単独でも動作可能である。即ちプロセッサを備え、本体ユニット１００から物理的に取り外された状態でも、各種のアプリケーションプログラムを実行できる。
【００３０】
ＡＶユニット２００は、ユニット間通信手段の上で互換性を持ち、物理的に取り外し可能であり、交換可能である。ＡＶユニット２００を物理的に交換することで住宅情報盤１０の機能に変更を加えることができる。ＡＶユニット２００の交換は、定められたユニット間通信手段の上での交換であり、本体ユニット１００に何ら影響を及ぼさない。以下、より具体的に説明する。
【００３１】
図３は、図２の本体ユニット１００及びＡＶユニット２００の構成を示す機能ブロック図である。本体ユニット１００は処理部１１０、記憶部１２０、ユニット間通信部１３０、警報部１４０、外部インタフェース１５０、操作部１６０及び音声取得／出力部１７０を備える。ＡＶユニット２００は処理部２１０、記憶部２２０、ユニット間通信部２３０、表示部２４０、操作部２６０及び音声取得／出力部２７０を備える。
【００３２】
本実施の形態では、本体ユニット１００とＡＶユニット２００とのユニット間通信には例えば、イーサネット（登録商標）規格に準拠した通信方式を使用する。なおイーサネット（登録商標）規格に準拠しつつも、ユニット間通知されるデータに独自の暗号化を施すことにより、汎用のタブレット等が本体ユニット１００とデータ交換できない状態にしてもよい。
【００３３】
本体ユニット１００と他の機器間は、メーカ独自の通信方式を使用してもよいし、汎用の通信方式を使用してもよい。本体ユニット１００の処理部１１０は、ハードウェア資源とソフトウェア資源の協働、又はハードウェア資源単体により実現できる。処理部１１０は、住宅情報盤１０（本体ユニット１００）と他の機器間の機器間通信と、本体ユニット１００とＡＶユニット２００間のユニット間通信との間で必要に応じて通信プロトコルを変換する。また処理部１１０は、防災機能を実行する。警報部１４０は上記のＬＥＤランプおよびブザーを備える。処理部１１０は、防災設備１３から警報信号を受信するとＬＥＤランプを点灯させ、ブザー音および音声出力を発生させる。
【００３４】
また処理部１１０は、住宅情報盤１０の基本機能を実行する。例えばロビーインターホン２１またはドアインターホン１２からの着信をインターホン室内副機１１に転送する。インターホン室内副機１１で受話された場合、ロビーインターホン２１またはドアインターホン１２と、インターホン室内副機１１との間の音声信号を中継する。音声取得／出力部１７０はマイク及びスピーカを備える。
【００３５】
記憶部１２０は不揮発性半導体メモリ等を備え、各種情報を記憶する。本実施の形態では記憶部１２０は、ステータス情報保持部１２１、ユーザ設定情報保持部１２２及び施工設定情報保持部１２３を含む。処理部１１０は、ステータス情報（バージョン情報と呼んでもよい）を収集してステータス情報保持部１２１に格納する。ステータス情報には、本体ユニット１００と外部機器との接続状況、外部機器のバージョン、外部機器の搭載機能、制御装置２０と本体ユニット１００を繋ぐ幹線の容量、本体ユニット１００の型番などの情報が含まれる。このようにステータス情報には、ＡＶユニット２００の動作または振る舞いに影響を及ぼすシステム内の情報が含まれる。
【００３６】
外部機器との接続状況として例えば、管理室インターホン２２と本体ユニット１００との接続の有無、インターネットサーバ２３と本体ユニット１００との接続の有無、計測ユニット１４と本体ユニット１００との接続の有無、太陽光発電システム２４と本体ユニット１００との接続の有無、燃料電池システム２５と本体ユニット１００との接続の有無、及び電気自動車充電システム２６と本体ユニット１００との接続の有無が含まれる。
【００３７】
ＡＶユニット２００の処理部２１０は、ハードウェア資源とソフトウェア資源の協働により実現できる。記憶部２２０は記録媒体（例えばＳＳＤ）を備え、各種のプログラム及びデータを記憶する。処理部２１０はオペレーティングシステム、ミドルウェア、アプリケーション等の各種プログラムを実行するためのＣＰＵを備える。またハードウェア資源として、グラフィックエンジン、画像符号化／復号エンジン、暗号処理エンジン等を併用してもよい。
【００３８】
表示部２４０は液晶ディスプレイや有機ＥＬディスプレイを備える。当該ディスプレイはタッチパネル式であり、操作部２６０の一部をなしている。音声取得／出力部２７０はマイク及びスピーカを備える。
【００３９】
ＡＶユニット２００は、搭載している機能や価格帯により複数の機種がラインナップされる。従来、マンション内の全ての住戸において原則的に同じ住宅情報盤１０が使用されていたが、本実施の形態のようにＡＶユニット２００と本体ユニット１００を分離可能な構成の場合、住戸ごとにＡＶユニット２００を個別に選択することが容易である。各住戸の居住者が個別に交換することも可能である。
【００４０】
以下、ＡＶユニット２００を交換する際の処理に着目する。上記の通りＡＶユニット２００はマンション内の各住戸において個別に交換できる。例えば、ある住戸の居住者が利用から５年経過後に、最新型のＡＶユニット２００を購入して交換するケースを考える。このケースでは、本体ユニット１００が５年前の機種で、ＡＶユニット２００が最新機種になる。このように住戸ごとに、本体ユニット１００とＡＶユニット２００の様々な組み合わせが発生する。
【００４１】
従来、住宅情報盤の交換は、設定のみならず配線の付け替えも必要であった。配線の付け替え作業は、エンドユーザが行うことが難しく施工業者が行っていた。従って施工コストが発生していた。また従来の住宅情報盤にはユーザ設定と施工設定があり、施工設定はエンドユーザには公開されておらず、施工業者が設定する必要があった。これに対して本実施の形態に係る住宅情報盤１０では、施工設定情報は施工設定情報保持部１２３に予め保持されている。従って、施工業者が介在する必要がなく、エンドユーザが単独でＡＶユニット２００を交換できる。ＡＶユニット２００の交換により、本体ユニット１００とＡＶユニット２００間で対応機能に差が発生した場合、ＡＶユニット２００の表示などを切り替える必要がある。これに対してＡＶユニット２００の交換後、設定メニューからユーザが手動で変更することが考えられるが、ユーザにとって煩雑で手間のかかる作業が発生する。
【００４２】
本実施の形態では、新たなＡＶユニット２００が本体ユニット１００に接続された後、ＡＶユニット２００が本体ユニット１００から上記ステータス情報をユニット間通信により取得する。取得したステータス情報をもとにＡＶユニット２００が自己の設定情報を自動的に切り替える。
【００４３】
図４は、本体ユニット１００に保持されるステータス情報の一例を示す図である。ＡＶユニット２００の処理部２１０は本体ユニット１００との接続を検知すると、ステータス情報のリクエストコマンドを本体ユニット１００に発行する。本体ユニット１００の処理部１１０は当該リクエストコマンドを受信すると、ステータス情報保持部１２１からステータス情報を読み出し、ＡＶユニット２００に送信する。
【００４４】
ＡＶユニット２００の処理部２１０は、当該ステータス情報を受信すると当該ステータス情報をもとにＡＶユニット２００をセットアップする。例えば当該ステータス情報をもとに、表示部２４０に表示させるメニュー画面を決定する。
【００４５】
図５（ａ）−（ｂ）は、ＡＶユニット２００の表示部２４０に表示されるメニュー画面の一例を示す図である。図５（ａ）は、管理室インターホン２２、計測ユニット１４、電気自動車充電システム２６、太陽光発電システム２４、燃料電池システム２５、及びインターネットサーバ２３が全て住宅情報盤１０に接続されている場合のメニュー画面の例である。この例ではタイル形式のメニューを示している。ユーザが、実行したい機能のタイルをタッチすると、その機能を実現するアプリケーションプログラムが起動する。なおタイル形式のメニュー表示は一例であり、アイコン形式でもよいし、単純に機能名を文字で羅列する形式でもよい。
【００４６】
図５（ｂ）は、図４のステータス情報を反映したメニュー画面を示している。電気自動車充電システム２６、太陽光発電システム２４及び燃料電池システム２５を設置していないマンションでは、それらの機能は使用できない。従ってＥＶ充電、太陽光発電、燃料電池発電のアプリケーションプログラムを起動させるためのメニューは不要であり、そのタイルを表示させる必要はない。
【００４７】
またＡＶユニット２００の処理部２１０は、本体ユニット１００から取得したステータス情報をもとに、プレインストールされている複数のアプリケーションプログラムの内、有効とするプログラムを決定してもよい。少なくとも、住宅情報盤１０に接続されていない機器に関するアプリケーションプログラムはセットアップしなくても基本的に問題は発生しない。
【００４８】
またＡＶユニット２００の処理部２１０は、本体ユニット１００から取得したステータス情報をもとに、処理部２１０内のＲＡＭに常駐させるアプリケーションプログラムを決定してもよい。少なくとも、住宅情報盤１０に接続されていない機器に関するアプリケーションプログラムはＲＡＭに常駐させる必要がない。
【００４９】
またＡＶユニット２００の処理部２１０は、本体ユニット１００から取得したステータス情報に含まれる幹線の容量、及び／又は本体ユニット１００の型番から特定される本体ユニット１００の処理スペックをもとに、通信時の伝送レートを決定してもよい。また音声信号または画像信号を符号化する際の圧縮率を決定してもよい。例えば幹線の容量が少ない場合、圧縮率を大きくしてコマ落ち等の発生を防止する。
【００５０】
以上は、本体ユニット１００のスペック及び外部機器との接続状況をＡＶユニット２００のセットアップに自動的に反映させる処理である。この処理に加えて、交換前のＡＶユニット２００に対してユーザが設定したユーザ設定情報を、ＡＶユニット２００のセットアップに自動的に反映させる処理を追加することもできる。
【００５１】
ＡＶユニット２００の操作部２６０からユーザが、各種の設定（例えば音量の設定）を行うと処理部２１０は、そのユーザ設定情報を記憶部２２０に保存するとともに、本体ユニット１００に通知する。本体ユニット１００の処理部１１０は、ＡＶユニット２００から取得したユーザ設定情報をユーザ設定情報保持部１２２に格納する。
【００５２】
また交換前のＡＶユニット２００を本体ユニット１００から外すときに、明示的にエンドユーザに設定させ、本体ユニット１００に通知してもよい。例えばエンドユーザがＡＶユニット２００を外す前に、設定メニューの「機器交換」を選択して各種の設定情報を確認または必要に応じて変更する。エンドユーザが終了を選択すると、ユーザ設定情報が本体ユニット１００に通知される。その後、エンドユーザはＡＶユニット２００を新しいものに交換する。
【００５３】
図６は、本体ユニット１００に保持されるユーザ設定情報の一例を示す図である。ＡＶユニット２００の処理部２１０は本体ユニット１００との接続を検知すると、ステータス情報のリクエストコマンドに加えて、ユーザ設定情報のリクエストコマンドを本体ユニット１００に発行する。本体ユニット１００の処理部１１０は当該リクエストコマンドを受信すると、ユーザ設定情報保持部１２２からユーザ設定情報を読み出し、ＡＶユニット２００に送信する。ＡＶユニット２００の処理部２１０は、当該ユーザ設定情報を受信すると当該ユーザ設定情報をもとにＡＶユニット２００の設定情報を決定する。
【００５４】
図７は、本発明の実施の形態に係るＡＶユニット２００交換時の処理の流れを示すフローチャートである。ＡＶユニット２００の処理部２１０は、本体ユニット１００との接続を検知すると（Ｓ２０のＹ）、ステータス情報およびユーザ設定情報のリクエストコマンドを本体ユニット１００に発行する（Ｓ２１）。本体ユニット１００の処理部１１０は当該リクエストコマンドを受信すると、ステータス情報保持部１２１及びユーザ設定情報保持部１２２からステータス情報およびユーザ設定情報を読み出し、ＡＶユニット２００に送信する（Ｓ１０）。ＡＶユニット２００の処理部２１０は、当該ステータス情報およびユーザ設定情報を受信すると、それらの情報をもとにＡＶユニット２００をセットアップする（Ｓ２２）。
【００５５】
以上説明したように本実施の形態によれば、住宅情報盤１０のＡＶユニット２００を交換する際のセットアップを自動化でき、ユーザの作業を簡素化できる。即ち、各種の設定情報をユーザが手動で入力する手間を省略できる。
【００５６】
本実施の形態では、インターネットサーバ２３が制御装置２０及び幹線を介して本体ユニット１００に接続される。従ってＡＶユニット２００を本体ユニット１００から取り外す際、インターネット回線をＡＶユニット２００から分離する施工が必要ない。従ってユーザは単純に、これまで使用していたＡＶユニット２００を取り外し、新しく購入したＡＶユニット２００を本体ユニット１００に接続するだけで足りる。施工業者でなければできない作業は発生しない。その後、ＡＶユニット２００が最適な設定で自動的にセットアップするため、ユーザはセットアップが終了するのを待つだけでよい。このように交換作業が楽であるため、設定の煩雑さを理由としてＡＶユニット２００の買い換えを躊躇しているユーザのハードルを下げることができる。
【００５７】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００５８】
上述の実施の形態ではマンション用の住宅情報盤１０を想定したが、本発明の実施の形態に係る住宅情報盤１０は戸建てにも適用可能である。その場合、ロビーインターホン２１、管理室インターホン２２及び制御装置２０が不要になり、太陽光発電システム２４、燃料電池システム２５及び電気自動車充電システム２６は住宅情報盤１０に直接接続される。
【００５９】
また上述の実施の形態では、本体ユニット１００とＡＶユニット２００が別の筐体に収納される例を想定したが、本体ユニット１００とＡＶユニット２００が機能的に分離することが可能であれば、一つの筐体に収納されていてもよい。例えば、本体ユニット１００のメイン基板とＡＶユニット２００のメイン基板が独立しており、ＡＶユニット２００のメイン基板のプロセッサでＡＶユニット２００が本体ユニット１００と独立に動作する形態であれば、本発明の適用範囲に含まれる。
【００６０】
また上述の実施の形態では、ＡＶユニット２００から本体ユニット１００にステータス情報のリクエストコマンドをＡＶユニット２００の交換時に発行する例を説明した。ＡＶユニット２００の接続後もＡＶユニット２００から本体ユニット１００に当該リクエストコマンドを定期的（１ヶ月に１回）に発行してもよい。本体ユニット１００に接続される機器は、ＡＶユニット２００の交換と関係なく追加または除去される可能性があるため、定期的に本体ユニット１００と外部機器との接続状況を確認するとよい。これにより事後的にマンションの設備が変わった場合でも、ＡＶユニット２００にその変更を自動的に反映させることができる。また制御装置２０が接続機器の更新を認識し、制御装置２０から本体ユニット１００が更新情報を取得したタイミングで、本体ユニット１００からＡＶユニット２００にステータス情報を送信してもよい。この場合、設備の更新情報がいち早くＡＶユニット２００に反映されることになる。
【００６１】
なお、実施の形態は、以下の項目によって特定されてもよい。
【００６２】
［項目１］
インターホンの屋外機（ロビーインターホン２１またはドアインターホン１２）および防災設備１３と少なくとも接続される住宅情報盤１０であって、
本体ユニット１００と、
前記本体ユニット１００と物理的に分離可能なＡＶユニット２００と、を備え、
前記ＡＶユニット２００は、前記本体ユニット１００に接続された後、前記本体ユニット１００から、前記本体ユニット１００と外部機器との接続状況を含むステータス情報をユニット間通信により取得することを特徴とする住宅情報盤１０。
これにより、住宅情報盤１０のＡＶユニット２００を交換する際のセットアップを自動化でき、ユーザの作業を簡単にできる。
［項目２］
前記ステータス情報には、建物に設置された太陽光発電システム２４、燃料電池システム２５及び電気自動車充電システム２６の少なくとも一つと前記本体ユニット１００との接続の有無が含まれることを特徴とする項目１に記載の住宅情報盤１０。
これにより、太陽光発電システム２４、燃料電池システム２５及び電気自動車充電システム２６との接続の有無を反映したＡＶユニット２００のセットアップが可能になる。
［項目３］
前記ＡＶユニット２００は、
ユニット間通信部２３０と、
アプリケーションプラグラムを実行する処理部２１０と、
表示部２４０と、を有し、
前記処理部２１０は、前記本体ユニット１００から取得されたステータス情報をもとに、前記表示部２４０に表示させるメニュー画面を決定することを特徴とする項目１または２に記載の住宅情報盤１０。
これにより、ＡＶユニット２００に表示されるメニュー画面を本体ユニット１００のステータスを反映したメニュー画面に設定できる。
［項目４］
前記本体ユニット１００は、
ユニット間通信部１３０と、
ユーザにより前記ＡＶユニット２００に設定されたユーザ設定情報を保持するためのユーザ設定情報保持部１２２と、
前記ユーザ設定情報を前記ＡＶユニット２００から取得して前記ユーザ設定情報保持部１２２に格納するとともに、当該ＡＶユニット２００が前記本体ユニット１００と接続解除され別のＡＶユニット２００が前記本体ユニット１００と接続された後、前記ユーザ設定情報保持部１２２に保持されるユーザ設定情報を当該別のＡＶユニット２００に提供する処理部１１０と、
を有することを特徴とする項目１から３のいずれかに記載の住宅情報盤１０。
これにより、ＡＶユニット２００の交換後、前のＡＶユニット２００に設定されていたユーザ設定情報を交換後のＡＶユニット２００に自動的に反映させることができる。
［項目５］
インターホンの屋外機（ロビーインターホン２１またはドアインターホン１２）および防災設備１３と少なくとも接続される住宅情報盤１０の本体ユニット１００であって、
物理的に分離可能なＡＶユニット２００が当該本体ユニット１００に接続された後、当該本体ユニット１００と外部機器との接続状況を含むステータス情報をユニット間通信により前記ＡＶユニット２００に提供することを特徴とする住宅情報盤１０の本体ユニット１００。
これにより、住宅情報盤１０のＡＶユニット２００を交換する際のセットアップを自動化でき、ユーザの作業を簡単にできる。
［項目６］
インターホンの屋外機（ロビーインターホン２１またはドアインターホン１２）および防災設備１３と少なくとも接続される住宅情報盤１０のＡＶユニット２００であって、
前記ＡＶユニット２００は、本体ユニット１００と物理的に分離可能であり、前記本体ユニット１００に接続された後、前記本体ユニット１００から、前記本体ユニット１００と外部機器との接続状況を含むステータス情報をユニット間通信により取得することを特徴とする住宅情報盤１０のＡＶユニット２００。
これにより、住宅情報盤１０のＡＶユニット２００を交換する際のセットアップを自動化でき、ユーザの作業を簡単にできる。
【符号の説明】
【００６３】
１  インターホンシステム、  １０  住宅情報盤、  １１  インターホン室内副機、  １２  ドアインターホン、  １３  防災設備、  １４  計測ユニット、  １５  非常用電源装置、  ２０  制御装置、  ２１  ロビーインターホン、  ２２  管理室インターホン、  ２３  インターネットサーバ、  ２４  太陽光発電システム、  ２５  燃料電池システム、  ２６  電気自動車充電システム、  １００  本体ユニット、  １１０  処理部、  １２０  記憶部、  １２１  ステータス情報保持部、  １２２  ユーザ設定情報保持部、  １２３  施工設定情報保持部、  １３０  ユニット間通信部、  １４０  警報部、  １５０  外部インタフェース、  １６０  操作部、  １７０  音声取得／出力部、  ２００  ＡＶユニット、  ２１０  処理部、  ２２０  記憶部、  ２３０  ユニット間通信部、  ２４０  表示部、  ２６０  操作部、  ２７０  音声取得／出力部。
【産業上の利用可能性】
【００６４】
本発明は、マンションに設置されるインターホンシステムに利用可能である。
【図１】
2016143893.tif 000003
【図２】
2016143893.tif 000004
【図３】
2016143893.tif 000005
【図４】
2016143893.tif 000006
【図５】
2016143893.tif 000007
【図６】
2016143893.tif 000008
【図７】
2016143893.tif 000009